(57)【要約】【課題】コンテナ型のサーバ室でも効率よく異常の有無の監視ができるサーバ室監視装置及びサーバ室を提供する。【解決手段】サーバ室監視装置は、サーバ室にサーバを収納するラックの列に沿って設置され、サーバを撮像する監視カメラと、サーバ室内の臭気を検知する臭気センサと、サーバ室内の音を集音する集音マイクと、可動支持部材を横方向に移動させる横方向駆動部と、監視カメラ、臭気センサ、及び集音マイクを可動支持部材に沿って縦方向に移動させる縦方向駆動部と、横方向駆動部及び縦方向駆動部を制御して監視カメラ、臭気センサ、及び集音マイクを移動させてサーバ室情報を入力し、異常があった場合に警報を発報する制御部と、を備える。【選択図】図３
2013073411.tif 000002
【特許請求の範囲】
【請求項１】
サーバ室に、サーバを格納する直線的に配列されたラックの列に沿って、前記サーバの前面に対向して設置され、前記サーバ室の情報を収集するセンサと、
前記センサを前記ラックに沿って縦方向に移動させる縦方向駆動部と、
前記センサを前記ラックの列に沿って横方向に移動させる横方向駆動部と、
前記サーバ室の外部に配置され、前記縦方向駆動部及び前記横方向駆動部を駆動させ、前記センサからの入力した前記サーバ室の情報に基づいて前記サーバ室内に異常があると判定した場合、警報を発報する制御部と、
を備えるサーバ室監視装置。
【請求項２】
前記制御部に指示を入力する端末をさらに備え、
前記制御部は、
前記端末から手動制御指示が入力されたと判定した場合、手動制御に切り替えて前記サーバ室の情報を収集する請求項１記載のサーバ室監視装置。
【請求項３】
前記センサは、
監視カメラ、臭気センサ、及び集音マイクを含む請求項１記載のサーバ室監視装置。
【請求項４】
コンテナ型のサーバ格納装置と、
前記サーバ格納装置に隣接して設置される空調ユニットと、
前記サーバ格納装置の内部を隔壁によって区画した副室と、
前記副室に設置され、サーバを格納するラックと、
直線的に配列された前記ラックの列に沿って、前記サーバの前面に対向して設置され、前記サーバ室の情報を収集するセンサと、前記センサを前記ラックに沿って縦方向に移動させる縦方向駆動部と、前記センサを前記ラックの列に沿って横方向に移動させる横方向駆動部と、前記サーバ格納装置の外部に配置され、前記縦方向駆動部及び前記横方向駆動部を駆動させ、前記センサからの入力した前記サーバ室の情報に基づいて前記サーバ室内に異常があると判定した場合、警報を発報する制御部と、を備えるサーバ室監視装置と、
を備えるサーバ室。
【請求項５】
前記制御部に指示を入力する端末をさらに備え、
前記制御部は、
前記端末から手動制御指示が入力されたと判定した場合、手動制御に切り替えて前記サーバ室の情報を収集する請求項４記載のサーバ室。
【請求項６】
前記センサは、
監視カメラ、臭気センサ、及び集音マイクを含む請求項４記載のサーバ室。
【発明の詳細な説明】
【技術分野】
【０００１】
本発明の実施形態は、サーバ室監視装置及びサーバ室に関する。
【背景技術】
【０００２】
近年では可搬型のコンテナ装置の内部にサーバ及びサーバの周辺機器を格納し、このコンテナ装置を複数併設してデータセンタを構築することが行われる。この方法のメリットは建物を建造する必要がなく設置費用が安く済む点にある。
【０００３】
しかし、サーバなどの機器に異常がないか、或いは火災が発生していないか、などの監視は人が各コンテナ内に立ち入って点検するほかはない。従って、作業効率が悪いだけでなく、異常の発見が遅れることがあるというデメリットがある。
【先行技術文献】
【特許文献】
【０００４】
【特許文献１】特開２００９−２３０３２９号公報
【発明の概要】
【発明が解決しようとする課題】
【０００５】
従って、コンテナ型のサーバ室でも効率よく異常の有無の監視ができるサーバ室監視装置及びサーバ室が求められている。
【課題を解決するための手段】
【０００６】
上記の課題を解決するために、本発明の一実施形態は、サーバ室にサーバを収納するラックの列に沿って設置され、サーバ室の情報を収集するセンサと、センサをラックに沿って縦方向に移動させる縦方向駆動部と、センサをラックの列に沿って横方向に移動させる横方向駆動部と、サーバ室の外部に配置され、縦方向駆動部及び横方向駆動部を駆動させ、センサからの入力したサーバ室の情報に基づいてサーバ室内に異常があると判定した場合、警報を発報する制御部と、を備えるサーバ室監視装置を提供する。
【図面の簡単な説明】
【０００７】
【図１】サーバ室の外観斜視図である。
【図２】サーバ室の平面図である。
【図３】サーバ室監視装置の外観斜視図である。
【図４】サーバ室監視装置の動作を示す図である。
【図５】サーバ室監視装置の構成を示すブロック図である。
【図６】サーバ室監視装置の動作を示すフローチャートである。
【発明を実施するための形態】
【０００８】
以下、サーバ室監視装置及びサーバ室の一実施形態について、図面を用いて詳細に説明する。
【０００９】
本実施形態のサーバ室監視装置は、サーバ室に、サーバを格納する直線的に配列されたラックの列に沿って、サーバの前面に対向して設置され、サーバ室の情報を収集するセンサと、センサをラックに沿って縦方向に移動させる縦方向駆動部と、センサをラックの列に沿って横方向に移動させる横方向駆動部と、サーバ室の外部に配置され、縦方向駆動部及び横方向駆動部を駆動させ、センサからの入力したサーバ室の情報に基づいてサーバ室内に異常があると判定した場合、警報を発報する制御部と、を備える。
【００１０】
本実施形態のサーバ室は、コンテナ型のサーバ格納装置と、サーバ格納装置に隣接して設置される空調ユニットと、サーバ格納装置の内部を隔壁によって区画した副室と、副室に設置され、サーバを格納するラックと、直線的に配列されたラックの列に沿って、サーバの前面に対向して設置され、サーバ室の情報を収集するセンサと、センサを前記ラックに沿って縦方向に移動させる縦方向駆動部と、センサをラックの列に沿って横方向に移動させる横方向駆動部と、サーバ格納装置の外部に配置され、縦方向駆動部及び横方向駆動部を駆動させ、センサからの入力したサーバ室の情報に基づいて前記サーバ室内に異常があると判定した場合、警報を発報する制御部と、を備えるサーバ室監視装置と、を備える。
【００１１】
図１は、本実施形態のサーバ室１の外観斜視図である。図２は、サーバ室１の平面図である。
【００１２】
図１及び図２に示すように、サーバ室１はサーバを収納するコンテナ部２と、空調ユニット３と、を備える。コンテナ部２と空調ユニット３とは分離して搬送することが可能である。
【００１３】
コンテナ部２は内部に、電力を供給する電源ユニット１１と、出入り口扉１３を有する隔壁１３によって区画される副室と、この副室の内部に配置されるサーバ１２と、サーバ１２及びサーバ室１の状況を監視するサーバ室監視装置１００と、を備える。
【００１４】
サーバ１２はラックに無停電電源装置、ネットワーク機器、外部記憶装置、及び磁気テープ装置などとともに収納される。サーバ１２を収納したラックは複数台を直線的に並べて設置される。
【００１５】
サーバ室監視装置１００はこの複数並べられたサーバ１２を収納するラックの列に沿って、サーバ１２の前面に対向して配置される。
【００１６】
副室には空調ユニット３から冷気を流し込む送風口と、サーバ１２などの発熱する装置によって暖められた空気を排気する排気口と、が設けられる。
【００１７】
図３は、サーバ室監視装置１００の外観斜視図である。図３に示すように、サーバ室監視装置１００は、フレーム１０１によって支持され、水平方向に延びる上方レール１０２及び下方レール１１１と、上方レール１０１に沿って配置される横方向チェーンベルト１０３と、横方向チェーンベルト１０３を駆動させる横方向駆動部１０４と、横方向チェーンベルト１０３に係止され、上方レール１０２及び下方レール１１１にそって横方向に移動可能な可動支持部材１０５と、可動支持部材１０５の縦方向の支柱に沿って配置される縦方向チェーンベルト１０６と、縦方向チェーンベルト１０６を駆動させる縦方向駆動部１０７と、縦方向チェーンベルト１０６に係止され、縦方向に移動可能な監視カメラ１０８、臭気センサ１０９、及び集音マイク１１０と、を備える。
【００１８】
サーバ室監視装置１００は、移動可能な臭気センサ１０９、集音マイク１１０の代わりに他のセンサ、例えば赤外線温度センサ、煙センサ等を備えてもよい。
【００１９】
可動支持部材１０５は、下方にローラ１１２を有する。ローラ１１２は下方レール１０２に接触する。
【００２０】
横方向駆動部１０４及び縦方向駆動部１０７はモータとギアを備える。
【００２１】
監視カメラ１０８はサーバ１２及びサーバ１２の周辺機器を撮像し、画像データを出力する。臭気センサ１０９はサーバ室１の臭気を検知し、臭気データを出力する。集音マイク１１０はサーバ室１内の音を集音し、音声データを出力する。
【００２２】
縦方向駆動部１０７を駆動させるための電力を供給する電源ケーブル、及び画像データ、臭気データ、音声データを送信する通信ケーブルは、ケーブル束１１３に束ねられ、トロリー式により上方レール１０２に配置される。
【００２３】
横方向駆動部１０４及び縦方向駆動部１０７の動作はサーバ室１の外部にある制御部５０１により遠隔操作される。また、画像データ、臭気データ、音声データは通信ケーブルを介して制御部５０１に入力される。以下、画像データ、臭気データ、音声データをまとめてサーバ室情報と言う。
【００２４】
図４は、サーバ室監視装置１００の動作を示す図である。図４に示すように、サーバ室監視装置１００は、監視カメラ１０８、臭気センサ１０９、及び集音マイク１１０がサーバ１２に向くように、サーバ１２の列に沿って配置される。
【００２５】
上方レール１０２と下方レール１１１の間隔Ｈ２は、サーバ１２を収納するラックの高さＨ１より長い。
【００２６】
可動支持部材１０５は横方向Ｘ１に、監視カメラ１０８、臭気センサ１０９、及び集音マイク１１０は縦方向Ｙ１に可動である。
【００２７】
制御部５０１は、まず横方向駆動部１０４を駆動させて可動支持部材１０５を上方レール１０２の一端、すなわちホームポジションに移動させる。
【００２８】
次に、制御部５０１は縦方向駆動部１０７を駆動させて監視カメラ１０８、臭気センサ１０９、及び集音マイク１１０を可動支持部材１０５の上端から下端に移動させてサーバ室情報を収集する。
【００２９】
次に、制御部５０１は横方向駆動部１０４を駆動させて可動支持部材１０５を所定の幅だけ横方向に移動させ、縦方向駆動部１０７を駆動させて監視カメラ１０８、臭気センサ１０９、及び集音マイク１１０を可動支持部材１０５の下端から上端に移動させてサーバ室情報を収集する。
【００３０】
以降同様に、制御部５０１は横方向駆動部１０４と縦方向駆動部１０７とを駆動させ、サーバ１２を収納するラックを順次一端から他端に向かって監視カメラ１０８、臭気センサ１０９、及び集音マイク１１０を移動させ、サーバ室情報を収集することを繰り返す。
【００３１】
図５は、サーバ室監視装置１００の構成を示すブロック図である。図５に示すように、サーバ室監視装置１００は、サーバ室１にサーバ１２を収納するラックの列に沿って設置され、サーバ１２を撮像する監視カメラ１０８と、サーバ室１内の臭気を検知する臭気センサ１０９と、サーバ室１内の音を集音する集音マイク１１０と、可動支持部材１０５を横方向Ｘ１に移動させる横方向駆動部１０４と、監視カメラ１０８、臭気センサ１０９、及び集音マイク１１０を可動支持部材１０５に沿って縦方向に移動させる縦方向駆動部１０７と、横方向駆動部１０４及び縦方向駆動部１０７の動作を制御する駆動制御部１１２と、を備える。
【００３２】
監視カメラ１０８、臭気センサ１０９、集音マイク１１０、横方向駆動部１０４、及び縦方向駆動部１０７はＬＡＮインターフェースなどの通信インターフェース（以下、インターフェースをＩ／Ｆという。）５０３を介してサーバ室１の外部に設置される制御装置５００の制御部５０１に接続する。
【００３３】
制御装置５００は、演算装置を含む制御部５０１と、ＲＯＭ、ＲＡＭ、及びハードディスクドライブなどの記憶部５０２と、ディスプレイなどの表示装置５０４と、スピーカ５０５と、端末５０６と、を備える。
【００３４】
縦方向駆動部１０７は端末５０６からの手動制御の信号により横方向駆動部１０４及び縦方向駆動部１０７を駆動させる。
【００３５】
図６は、サーバ室監視装置１００の動作を示すフローチャートである。図６に示すように、動作６０１において、サーバ室監視装置１００は横方向駆動部１０４を駆動させて可動支持部材１０５をセンシング対象のサーバ１２のラックの前面に移動させる。
【００３６】
動作６０２において、サーバ室監視装置１００は縦方向駆動部１０７を駆動させて監視カメラ１０８、臭気センサ１０９、及び集音マイク１１０を可動支持部材１０５の上端から下端に移動させてサーバ室情報を収集する。
【００３７】
動作６０３において、サーバ室監視装置１００は監視カメラ１０８からの映像情報を入力する。
【００３８】
動作６０４において、サーバ室監視装置１００は入力した映像情報と、予め記憶部５０２に格納されている正常時の映像情報とを比較する画像認識を行う。
【００３９】
動作６０５において、サーバ室監視装置１００は映像情報内に異常があるかどうかを画像認識結果から判定する。サーバ室監視装置１００は異常があると判定した場合、動作６１０に進み、異常がないと判定した場合、動作６０６に進む。
【００４０】
動作６０６において、サーバ室監視装置１００は臭気センサ１０９からの臭気情報を入力する。
【００４１】
動作６０７において、サーバ室監視装置１００は臭気情報の臭気指数が予め記憶部５０２に格納されている臭気指数の閾値と比較することにより異常があるかを判定する。サーバ室監視装置１００は臭気情報の臭気指数が臭気指数の閾値を上回った場合、異常があると判定して動作６１０に進み、臭気情報の臭気指数が臭気指数の閾値以下であった場合、異常がないと判定して動作６０８に進む。
【００４２】
動作６０８において、サーバ室監視装置１００は集音マイク１１０からの音響情報を入力する。
【００４３】
動作６０９において、サーバ室監視装置１００は音響情報の騒音が予め記憶部５０２に格納されている騒音の閾値と比較することにより異常があるかを判定する。サーバ室監視装置１００は音響情報の騒音が騒音の閾値を上回った場合、異常があると判定して動作６１０に進み、音響情報の騒音が騒音の閾値以下であった場合、異常がないと判定して動作６０１に戻る。
【００４４】
動作６１０において、サーバ室監視装置１００はディスプレイ５０４に警告を表示し、スピーカ５０５から異常を知らせる音を鳴らすことにより警報を発報する。
【００４５】
動作６１１において、サーバ室監視装置１００は端末５０６から監視カメラ１０８、臭気センサ１０９、及び集音マイク１１０の位置を手動にて操作する旨の指示である手動制御指示が入力されたかを判定する。サーバ室監視装置１００は端末５０６から手動制御指示が入力されたと判定したとき、動作６１２に進み、入力されていないと判定したとき、処理を終了する。
【００４６】
動作６１２において、サーバ室監視装置１００は端末５０６からの手動入力に従って、横方向駆動部１０４及び縦方向駆動部１０７を駆動させ、監視カメラ１０８、臭気センサ１０９、及び集音マイク１１０の位置を変位させる。
【００４７】
動作６１３において、サーバ室監視装置１００はサーバ室情報を収集してこのサーバ室情報を表示装置５０４に表示し、動作６１１に戻る。
【００４８】
以上述べたように、サーバ室監視装置１００は、サーバ室１にサーバ１２を収納するラックの列に沿って設置され、サーバ１２を撮像する監視カメラ１０８と、サーバ室１内の臭気を検知する臭気センサ１０９と、サーバ室１内の音を集音する集音マイク１１０と、可動支持部材１０５を横方向Ｘ１に移動させる横方向駆動部１０４と、監視カメラ１０８、臭気センサ１０９、及び集音マイク１１０を可動支持部材１０５に沿って縦方向に移動させる縦方向駆動部１０７と、横方向駆動部１０４及び縦方向駆動部１０７を制御して監視カメラ１０８、臭気センサ１０９、及び集音マイク１１０を移動させてサーバ室情報を入力し、異常があった場合に警報を発報し、端末５０６から手動制御指示が入力されたと判定した場合、手動制御に切り替えてサーバ室情報を収集する制御部５０１と、を備える。
【００４９】
従って、コンテナ型のサーバ室でも遠隔監視が可能となり、効率よく異常の有無の監視ができるという効果がある。
【００５０】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５１】
サーバ室監視装置：１００
横方向駆動部１０４
縦方向駆動部１０７
監視カメラ：１０８
臭気センサ：１０９
集音マイク１１０
【図１】
2013073411.tif 000003
【図２】
2013073411.tif 000004
【図３】
2013073411.tif 000005
【図４】
2013073411.tif 000006
【図５】
2013073411.tif 000007
【図６】
2013073411.tif 000008